(57)【要約】【課題】設置スペースの小型化を図ることのできる遊技機用のコイン類選別装置を実現する。【解決手段】コイン類Ｃを投入するための投入口１１４ａと、コイン類Ｃの円板面に対向して延びる案内通路２１を有し、コイン類Ｃを実質的に鉛直下方に案内する案内部材２２と、案内通路２１をコイン類の移動方向と実質的に交差する方向に遮断するための出没可能な遮断片２６ａを有する第１シャッター部材２６とが備えられ、第１シャッター部材２６の遮断片２６ａが案内通路２１内へ突出していないときには、案内通路２１に沿うコイン類Ｃの移動を許容し、第１シャッター部材２６の遮断片２６ａが案内通路２１内へ突出したときには、案内通路２１に沿うコイン類Ｃの移動を阻止してコイン類Ｃを案内通路２１に交差する方向へ誘導して排出する。【選択図】図４
2008307176.tif 000002
【特許請求の範囲】
【請求項１】
遊技機に投入されたコイン類を選別する選別装置において、
前記コイン類を投入するための投入口と、
前記コイン類の円板面に対向して延びる案内通路を有し、前記コイン類を実質的に鉛直下方に案内する案内部材と、
前記案内通路を前記コイン類の移動方向と実質的に交差する方向に遮断するための出没可能な遮断片を有する第１シャッター部材とが備えられ、
前記第１シャッター部材の遮断片が前記案内通路内へ突出していないときには、前記案内通路に沿う前記コイン類の移動を許容し、
前記第１シャッター部材の遮断片が前記案内通路内へ突出したときには、前記案内通路に沿う前記コイン類の移動を阻止して当該コイン類を前記案内通路に交差する方向へ誘導して排出することを特徴とする遊戯機用のコイン類選別装置。
【請求項２】
前記投入口と前記第１シャッター部材との間には、大きさが不適正なコイン類を排出する不適正コイン排出機構が設けられ、前記不適正コイン排出機構と前記第１シャッター部材との間には、この間を通過したコイン類の数を計数する計数センサが少なくとも１つ配置されており、前記計数センサの計数値が所定値を超えた場合に、前記第１シャッター部材の遮断片が、前記案内通路内へ突出するように構成されていることを特徴とする請求項１に記載の遊技機用のコイン類選別装置。
【請求項３】
前記案内通路における前記第１シャッター部材よりも下流側には、前記コイン類の通過を検出する複数のセンサが配置されていることを特徴とする請求項１または２に記載の遊戯機用のコイン類選別装置。
【請求項４】
前記案内通路における前記第１シャッター部材よりの前記投入口に近い位置には、前記案内通路内への前記コイン類の移動を阻止するための出没可能な遮断片を有する第２シャッター部材が設けられ、
前記第２シャッター部材の遮断片が前記案内通路内へ突出したときには、前記コイン類が前記投入口から前記案内通路へ投入されることを阻止することを特徴とする請求項１から３のいずれかに記載の遊技機用のコイン類選別装置。
【請求項５】
前記第２シャッター部材の遮断片は、前記第１シャッター部材の遮断片が前記案内通路内に突出するのに連動して突出することを特徴とする請求項４に記載の遊技機用のコイン類選別装置
【請求項６】
遊技機に投入されたコイン類を選別する選別装置において、
前記コイン類を投入するための投入口と、
前記コイン類の円板面に対向して延びる案内通路を有し、前記コイン類を実質的に鉛直下方に案内する案内部材とが備えられ、
前記案内通路における前記投入口に近い位置には、前記案内通路内への前記コイン類の移動を阻止するための出没可能な遮断片を有するシャッター部材が設けられ、
前記案内通路には、投入された前記コイン類の数を計数する少なくとも１つの計数センサが配置され、
前記計数センサの計数値が所定値を超えると、前記シャッター部材の遮断片を前記案内通路内へ突出させて、前記コイン類が前記投入口から前記案内通路へ投入されることを阻止することを特徴とする遊技機用のコイン類選別装置。
【発明の詳細な説明】
【技術分野】
【０００１】
本発明は、スロットマシン等の遊戯機に投入されたコイン類（メダル、硬貨、その他の貨幣の代替品等）を選別する装置に関するものである。
【背景技術】
【０００２】
スロットマシン等の遊戯機では、遊戯者がコインを投入することで、ゲームが開始されるが、不適正なコインが使用された場合には、遊戯者にコインを返却するように構成している。また、遊戯機が稼動状態にない場合や、一度のゲームに使用できる制限枚数以上のコインが投入された場合には、適正なコインであっても、遊戯者に返却されるようになっている。
【０００３】
このように遊戯者に返却するコインを選別して排出するための選別装置として、特許文献１には、投入口から垂直下方に延びる垂直路と垂直路の下端から斜め下方に延びる傾斜路とからなる、側面視略Ｌ字状のコイン通路を有する構造が記載されている。コインは、その円板面を基板の通路面と対向させながら、自重によって垂直路を移動して傾斜路を転動する。傾斜路には、サイズが小さく不適正なコインを、その厚み方向に移動させて傾斜路から排出するために、通路面に突出するように付勢された第１突起部材が設けられていて、適正なコインは第１突起部材を押圧しながら移動し、不適正なコインは第１突起部材によって押し出されるように構成されている。また、傾斜路には、遊戯機が稼動状態にない場合等に、コインをコイン通路の出口に案内せずに遊戯者に返却するために、可動ガイド板と第２突起部材とが設けられている。遊戯機が稼動状態にない場合等には、可動ガイド板と第２突起部材とが、電磁ソレノイドによって傾斜路の通路面から突出させられ、コインをその厚み方向に移動させて傾斜路から排出するようにしている。
【特許文献１】特開平８−２４４３４号公報（図１、図１０及び図１１参照）
【発明の開示】
【発明が解決しようとする課題】
【０００４】
特許文献１では、コインを転動させるために斜めに下るように延びる傾斜路が設けられていて、コインの円板面を押圧することで、コインをその厚み方向に移動させて傾斜路から排出するようにしている。従って、傾斜路を有するために、選別装置全体の横幅が増し、横方向の設置スペースが大きく必要となる問題があった。
【０００５】
本発明は、上記課題を解消するものであり、設置スペースの小型化を図ることのできる遊技機用のコイン類選別装置の実現を目的とするものである。
【課題を解決するための手段】
【０００６】
前記目的を達成するために、請求項１に記載の発明における遊戯機用のコイン類選別装置は、遊技機に投入されたコイン類を選別する選別装置において、前記コイン類を投入するための投入口と、前記コイン類の円板面に対向して延びる案内通路を有し、前記コイン類を実質的に鉛直下方に案内する案内部材と、前記案内通路を前記コイン類の移動方向と実質的に交差する方向に遮断するための出没可能な遮断片を有する第１シャッター部材とが備えられ、前記第１シャッター部材の遮断片が前記案内通路内へ突出していないときには、前記案内通路に沿う前記コイン類の移動を許容し、前記第１シャッター部材の遮断片が前記案内通路内へ突出したときには、前記案内通路に沿う前記コイン類の移動を阻止して当該コイン類を前記案内通路に交差する方向へ誘導して排出することを特徴とするものである。
【０００７】
また、請求項２に記載の発明は、請求項１に記載の遊技機用のコイン類選別装置において、前記投入口と前記第１シャッター部材との間には、大きさが不適正なコイン類を排出する不適正コイン排出機構が設けられ、前記不適正コイン排出機構と前記第１シャッター部材との間には、この間を通過したコイン類の数を計数する計数センサが少なくとも１つ配置されており、前記計数センサの計数値が所定値を超えた場合に、前記第１シャッター部材の遮断片が、前記案内通路内へ突出するように構成されていることを特徴とするものである。
【０００８】
また、請求項３に記載の発明は、請求項１または２に記載の遊戯機用のコイン類選別装置において、前記案内通路における前記第１シャッター部材よりも下流側には、前記コイン類の通過を検出する複数のセンサが配置されていることを特徴とするものである。
【０００９】
また、請求項４に記載の発明は、請求項１から３のいずれかに記載の遊技機用のコイン類選別装置において、前記案内通路における前記第１シャッター部材よりの前記投入口に近い位置には、前記案内通路内への前記コイン類の移動を阻止するための出没可能な遮断片を有する第２シャッター部材が設けられ、前記第２シャッター部材の遮断片が前記案内通路内へ突出したときには、前記コイン類が前記投入口から前記案内通路へ投入されることを阻止することを特徴とするものである。
【００１０】
また、請求項５に記載の発明は、請求項４に記載の遊技機用のコイン類選別装置において、前記第２シャッター部材の遮断片は、前記第１シャッター部材の遮断片が前記案内通路内に突出するのに連動して突出することを特徴とするものである。
【００１１】
また、請求項６に記載の発明における遊技機用のコイン類選別装置は、遊技機に投入されたコイン類を選別する選別装置において、前記コイン類を投入するための投入口と、前記コイン類の円板面に対向して延びる案内通路を有し、前記コイン類を実質的に鉛直下方に案内する案内部材とが備えられ、前記案内通路における前記投入口に近い位置には、前記案内通路内への前記コイン類の移動を阻止するための出没可能な遮断片を有するシャッター部材が設けられ、前記案内通路には、投入された前記コイン類の数を計数する少なくとも１つの計数センサが配置され、前記計数センサの計数値が所定値を超えると、前記シャッター部材の遮断片を前記案内通路内へ突出させて、前記コイン類が前記投入口から前記案内通路へ投入されることを阻止することを特徴とするものである。
【発明の効果】
【００１２】
請求項１に記載の発明によれば、コイン類の円板面に対向して延びる案内通路を有し、コイン類を実質的に鉛直下方に案内する案内部材と、案内通路をコイン類の移動方向と実質的に交差する方向に遮断するための出没可能な遮断片を有する第１シャッター部材とが備えられている。つまり、案内通路はコイン類を鉛直下方に案内するから、案内方向に直交する幅方向の寸法をコンパクトに構成することができる。また、コイン類は案内通路に沿って落下に近い状態で案内されるが、コイン類を遊戯者に返却するために、案内通路の出口と異なる部位から排出する必要が生じたときには、第１シャッター部材で、案内通路に沿う移動を阻止して、速やかに案内通路に交差する方向へ誘導して排出することができる。
【００１３】
請求項２に記載の発明によれば、投入口と第１シャッター部材との間には、大きさが不適正なコイン類を排出する不適正コイン排出機構が設けられ、不適正コイン排出機構と第１シャッター部材との間に、この間を通過したコイン類の数を計数する計数センサが少なくとも１つ配置されている。従って、大きさが不適正なコイン類は、不適正コイン排出機構で排除されるから、計数センサでは、適正な大きさであると判断されたコイン類のみが計数される。一度の遊戯に使用できるコイン類の枚数が規定されている場合には、規定数を超えて投入された分のコイン類は、遊戯には使用されずに遊戯者に返却される。そのため、計数センサの計数値が所定値（規定された枚数）を超えると、速やかに第１シャッター部材の遮断片が案内通路内に突出して、コイン類を案内通路の出口と異なる部位から排出させて遊戯者に返却する。
【００１４】
請求項３に記載の発明によれば、案内通路における第１シャッター部材よりも下流側には、コイン類の通過を検出する複数のセンサが配置されている。従って、第１シャッター部材の上流側に配置されている少なくとも１つの前記計数センサと、下流側に配置されている前記複数のセンサとが協働することで、通過したコインの計数値の確実性を高めることができるとともに、不正な手段で計数値を誤魔化すことを防止できる。
【００１５】
つまり、適正な大きさのコイン類が正当（不正なく）に、案内通路に従って案内される場合には、計数センサを含む複数のセンサは、上流側に位置するセンサがＯＮ、ＯＦＦした後に、下流側に位置するセンサがＯＮ、ＯＦＦすることになる。しかしながら、例えば、不正な手段として、計数センサをカウントさせた後に、投入口からの引き戻しが可能な道具（投入口の外側と連続する部分を有する道具）を用いた場合には、上流側に位置するセンサがＯＮした状態のまま、下流側に位置するセンサがＯＮする等、複数のセンサが、正当な場合の出力信号と異なるタイミングで出力信号を出すことになる。従って、ゴト対策として、案内通路に沿って複数のセンサを配置することにより、不正な手段を簡単に判別することができる。
【００１６】
請求項４に記載の発明によれば、第２シャッター部材の遮断片が案内通路内へ突出したときには、コイン類が投入口から案内通路へ投入されることを阻止する。つまり、第２シャッター部材の遮断片が案内通路内に突出していると、遊戯者が投入口にコインを投入しようとしても投入できないので、遊戯機が、規定された数以上のコイン類が既に投入された状態であること、あるいは稼動していない状態であること等を、遊戯者に簡単に認識させることができる。
【００１７】
請求項５に記載の発明によれば、第２シャッター部材の遮断片は、第１シャッター部材の遮断片が案内通路内に突出するのに連動して突出するから、第１シャッター部材によって、コイン類を案内通路の出口と異なる部位から排出させると同時に、投入口からのコイン類の投入を阻止する。そのため、コイン類を遊戯者に返却する状態であるにもかかわらず、コイン類が案内通路に次々と投入される状態を回避することができる。
【００１８】
請求項６に記載の発明によれば、コイン類の円板面に対向して延びる案内通路を有し、コイン類を実質的に鉛直下方に案内する案内部材が備えられているから、案内方向に直交する幅方向の寸法をコンパクトに構成することができる。
【００１９】
また、案内通路における前記投入口に近い位置には、前記案内通路内への前記コイン類の移動を阻止するための出没可能な遮断片を有するシャッター部材が設けられていて、シャッター部材の遮断片が案内通路内に突出していると、遊戯者が投入口にコインを投入しようとしても投入できない。従って、遊戯機が、規定された数以上のコイン類が既に投入された状態であること、あるいは稼動していない状態であること等を、遊戯者に簡単に認識させることができる。
【発明を実施するための最良の形態】
【００２０】
以下に、本発明の基本的な実施形態について、図１〜図７を用いて説明する。実施形態は、本発明のコイン類の選別装置１を、遊技機としてのスロットマシン１００に適用したものである。なお、コイン類とは、メダル、硬貨、その他の貨幣の代替品等を意味し、ここでは、円板状のコインの選別について記載する。
【００２１】
スロットマシン１００は、図１及び図２に示すように、ボックス形状の本体フレーム１０２の前面に、各種の表示を行ったりスイッチを配置したりした前面パネル１０３を備えている。本体フレーム１０２の中空内部には、その上段位置に、回転駆動装置１０と、制御回路を含む回路基板１０５などが組み込まれ、下段位置には、多数枚のコインを収容するコイン放出機１０６などが組み込まれている。なお、この実施形態では、遊戯者に近い側を前あるいは前面と記載し、遠い側を後ろあるいは後面、背面と記載する。
【００２２】
回転駆動装置１０には、周面に図柄を有する３つの回転体１１ａ〜１１ｃが備えられている。そして、回転駆動装置１０は、本体フレーム１０２内にて、その間口方向に掛け渡されるように配置された搭載板１０７の上に載置される。
【００２３】
前面パネル１０３には、３つの回転体１１ａ〜１１ｃに連続する３つの図柄を外部に表示するための窓部１１０と、各回転体１１の回転を開始させるためのレバーもしくはスイッチであるスタータ１１２と、投入口１１４ａと、コイン払出口１１６と、コイン受け皿１１８と、遊技者が３つの回転体１１ａ〜１１ｃをそれぞれ停止させるためのストップボタン１２１、１２２、１２３とが備えられている。コインは、遊戯者が１枚ずつ投入口１１４ａから投入される。各回転体１１ａ〜１１ｃの停止は、これらストップボタン１２１〜１２３の操作に基づく手動停止の場合の他に、図示しない切換スイッチにより、自動停止（スタータ１１２の操作に基づき、制御回路によって、乱数などにより、窓部１１０に表示すべき図柄を決定し、自動的に各回転体１１ａ〜１１ｃを順次停止させるモード）に切り換えられるように構成してもよい。
【００２４】
一般には、窓部１１０は、ガラス等の透明部材が用いられており、図１に示すように、横及び斜めに入賞ラインが表示されている。遊技者は、まず１枚または複数枚のコインをコイン投入口１１４ａに投入した後に、スタータ１１２を操作することで、全回転体１１ａ〜１１ｃの回転を開始させる。次に、ストップボタン１２１〜１２３を押下することで、各回転体１１の回転を任意の順序で停止させていく。
【００２５】
ゲームは、コインの投入枚数に従い直線上（例えば、コイン１枚投入時は水平な入賞ライン３本のうち真ん中１本、コイン２枚投入時は水平な入賞ライン３本、コイン３枚投入時は水平な入賞ライン３本と斜め方向の入賞ライン２本の合計５本の直線上）に特定の図柄が揃うと、「役」や「大当たり」（ボーナスゲームやビッグ・ボーナスゲーム）となり、それに応じたゲームが開始し、所定の枚数のコインをコイン払出口１１６からコイン受け皿１１８へ排出する。
【００２６】
次に、本発明の選別装置１について説明する。選別装置１は、投入口１１４ａから投入されたコインＣを、コイン放出機１０６に送る途中に設けられている。選別装置１は、図４に示すように、いずれも略板状を呈する案内部材２２と補助部材２３とカバー部材２４とが、それぞれの広幅面を重ねて順次積層されており、カバー部材２４が前面側に位置するように配置されている。カバー部材２４の上部には、投入口１１４ａが上下に貫通形成されている投入体１１４が取り付けられている。カバー部材２４が補助部材２３の前面に重なると、投入体１１４が案内部材２２と補助部材２３の上端に跨って重なるように構成されており、投入口１１４ａが、案内部材２２と補助部材２３との間に形成される案内通路２１に連通する。
【００２７】
案内部材２２の前面の広幅面には、上下に延びる２本の平行状のリブ２２ａが形成されていて、リブ２２ａの間がコインＣを案内する案内通路２１となっている。補助部材２３が両リブ２２ａの頂部に当接して、案内通路２１の前面を覆っている。案内通路２１の下端（出口）２１ａは、コイン放出機１０６に繋がる接続通路５０に連通（図３参照）しており、案内通路２１の上端（入口）となる投入口１１４ａから下端２１ａまで実質的に鉛直下方に延びている。一方のリブ２２ａには、その上下方向の中途部に欠けた部分が設けられていて、この部分が、第１シャッター部材２６（後述する）に従ってコインＣが案内通路２１から排出される排出口３５となる。
【００２８】
案内通路２１の幅寸法（案内方向に直交する方向の寸法）は、コインＣの直径Ｗ０よりも僅かに大きく形成されており、コインＣは、その円板面を案内部材２２の広幅面と対向させて、自重で落下しながら案内通路２１を移動する。投入口１１４ａは、適正なコインの幅寸法Ｗ０よりも僅かに大きく形成されており、正規のものよりサイズの大きいコインは、投入口１１４ａから投入できないようになっている。
【００２９】
なお、この実施形態の案内通路２１は、厳密には、図３（ｂ）に示すように、上端よりも下端２１ａがやや後ろ側に位置するように傾いた状態で、スロットマシン１００に取り付けられるが、もちろん、案内通路２１を前後に傾斜しない真っ直ぐな状態で取り付ける場合もある。
【００３０】
選別装置１には、案内通路２１におけるコインＣの移動を遮断するための第１シャッター部材２６と第２シャッター部材２７とが備えられている。第１シャッター部材２６と第２シャッター部材２７とはいずれもその本体は、案内部材２２の背面側に配置された電磁ソレノイド２５に連結されていて、それぞれの先端が、電磁ソレノイド２５の導通の有無（励磁、消磁）により、案内通路２１内に出没可能となるように設けられている。第２シャッター部材２７の先端である第２遮断片２７ａは、投入口１１４ａに近い側に配置され、第１シャッター部材２６の先端である第１遮断片２６ａは、第２遮断片２７ａよりも案内方向の下流側に配置されている。
【００３１】
第１遮断片２６ａは、案内通路２１内に突出しない状態では、コインＣの下方への移動を許容し（図５（ａ）参照）、案内通路２１内に突出することにより、コインＣの下方への移動を遮断して（図５（ｂ）参照）、コインＣを案内通路２１に交差する方向で且つコインＣの半径方向（矢印Ｂ方向）へ誘導して、排出口３５から排出するように形成されている。第１遮断片２６ａは、排出口３５側に向って下る傾斜状に形成されていて、排出口３５から矢印Ｂ方向へのコインＣの排出を促す形状になっている（図４参照）。矢印Ｂ方向へ排出されたコインＣは、スロットマシン１００の内部の通路（図示せず）からコイン排出口１１６を経由してコイン受け皿１１８に出て、遊戯者に返却される。なお、図５では、カバー部材２４の図示を省略している。
【００３２】
第２遮断片２７ａは、案内通路２１内に突出しない状態では、コインＣの下方（案内通路２１）への移動を許容し（図５（ａ）参照）、案内通路２１内に突出することにより、投入口１１４ａからコインＣが案内通路２１に投入されることを阻止することができるように形成されている（図５（ｂ）参照）。そのため、遊戯者が投入口１１４ａからコインＣを投入しようとしても、コインＣを第２遮断片２７ａによって案内通路２１に入れることができないから、遊戯者は、スロットマシン１００が、コインＣを受け入れない状態にあることを認識することができる。
【００３３】
案内部材２２の背面側に配置されている電磁ソレノイド２５には、図７（ａ）及び図７（ｃ）に示すように、実質的に水平方向に延びるガイド軸２８が、電磁ソレノイド２５の通電の有無（励磁、消磁）によって、上下動するように取り付けられている。第１シャッター部材２６は、水平状（詳細には水平状態から僅かに傾斜している）の底板と、底板から上向きに延びて対向する２つの側板とにより、正面視略上向きコの字状に形成されており、底板に第１遮断片２６ａが設けられていて、両側板の上寄りの位置に長穴２６ｂが各々設けられている。第２シャッター部材２７は、水平状の天板と、天板から下向きに延びて対向する２つの側板とにより、正面視略下向きコの字状に形成されており、天板に第２遮断片２７ａが設けられていて、両側板の上寄りの位置に長穴２７ｂが各々設けられている。
【００３４】
ガイド軸２８の長手方向の両端部は各々、第１シャッター部材２６の長穴２６ｂと第２シャッター部材２７の長穴２７ｂとに連続して挿通されており、電磁ソレノイド２５が通電されていない（消磁）状態では、図７（ａ）及び図７（ｂ）に示すように、ガイド軸２８が上下の可動範囲における上限高さの位置にある。このとき、第１シャッター部材２６及び第２シャッター部材２７は、第１遮断片２６ａ及び第２遮断片２７ａが案内通路２１内に突出しない姿勢に保たれる。一方、電磁ソレノイド２５が通電された（励磁）状態では、図７（ｃ）及び図７（ｄ）に示すように、ガイド軸２８が上下の可動範囲における下限高さの位置にある。このとき、第１シャッター部材２６及び第２シャッター部材２７は、第１遮断片２６ａ及び第２遮断片２７ａが案内通路２１内に突出する姿勢に保たれる。つまり、通常は案内通路２１内には突出しない状態が保たれている第１及び第２遮断片２６ａ、２７ａは、電磁ソレノイド２５の導通（励磁）により、同時に案内通路２１内に突出するように変位させられる。
【００３５】
案内通路２１における第２遮断片２７ａと第１遮断片２６ａの間には、大きさの不適正なコインを案内通路２１外に排出させる不適正コイン排出機構３０が設けられている。不適正コイン排出機構３０には、図６（カバー部材２４の図示を省略）に示すように、補助部材２３の板厚を貫通して形成された開口部３１と、案内部材２２に回動可能に軸支された押圧体３２とが備えられている。図示しないバネにより、押圧体３２は、案内通路２１内にその先端が突出する姿勢に付勢されている。開口部３１の幅寸法Ｗ１（案内方向と直交する方向の寸法）は、適正なコインＣの直径Ｗ０よりも僅かに小さく形成されている。開口部３１に対応する位置をサイズの小さい不適正なコインＣ１が通過しようとすると、押圧体３２によって開口部３１から前面側に不適正なコインＣ１を押し出すようにしている。排出されたコインＣ１は、スロットマシン１００の内部の通路（図示せず）からコイン排出口１１６を経由してコイン受け皿１１８に出て、遊戯者に返却される。
【００３６】
適正なコインＣが案内通路２１に投入されると、その直径が開口部３１の幅寸法Ｗ１よりも大きいために開口部３１から排出されることがなく、コインＣは押圧体３２をその付勢力に抗するように押圧しながら通過する。
【００３７】
案内通路２１の案内方向に沿って、コインＣの通過を検出する複数のセンサが配置されている。この実施形態では３つのセンサを用いている。不適正コイン排出機構３０と第１遮断片２６ａとの間に第１センサ４１が、第１遮断片２６ａよりも案内方向下流側に第２センサ４２が、第２センサ４２よりもさらに案内方向下流側に第３センサ４３が、それぞれ配置されている。
【００３８】
請求項の計数センサに相当する第１センサ４１は、図６（ｂ）に示すように、補助部材２３の前面側に取り付けられていて、回動可能に軸支されたアーム状の回動片４１ａを有する。図示しない付勢バネにより、回動片４１ａの先端が案内通路２１内に突出する方向に付勢されている。回動片４１ａは、案内通路２１の略中心線上に配置されていて、第１センサ４１ａの位置をコインＣが通過するときには、コインＣが回動片４１ａを案内通路２１から没するように押圧して移動するように構成されている。コインＣが回動片４１ａを押圧して通過すると、回動片４１ａの基端側で、コインＣの通過を光学的（機械的でもよい）に検出し、その数を計数するようにしている。
【００３９】
第２センサ４２及び第３センサ４３はいずれも光学式のセンサであって、案内方向の上下流側に距離を置いて配置され、且つ案内通路２１の幅方向に離隔して配置されている。これらはそれぞれの発光部と受光部とが、補助部材２３と案内部材２２とに分かれて配置されていて、案内通路２１の奥行き方向（前後方向）に沿って発光するようになっている。第２センサ４２及び第３センサ４３は、いずれもコインＣの外周寄りの位置を検出するように配置されている。
【００４０】
上記構成によると、スロットマシン１００が正常な稼動状態にあるときには、第１シャッター部材２６及び第２シャッター部材２７は、第１遮断片２６ａ及び第２遮断片２７ａが案内通路２１に突出しない姿勢に保たれている（図６（ａ）、図７（ａ）及び図７（ｂ）参照）。そして、遊戯者が遊戯を開始するために、投入口１１４ａからコインＣを投入すると、コインＣは案内通路２１に沿って鉛直下方に案内され、不適正コイン排出機構３０が設けられている位置を通過する。投入されたコインが、サイズが小さい不適正なコインＣ１であった場合には、コインＣ１は押圧体３２によって開口部３１から前面側に押し出されて、案内通路２１から排出され、コイン受け皿１１８に返却される。
【００４１】
投入されたコインが、適正なサイズのコインＣであった場合には、コインＣは押圧体３２を押しながら、不適正コイン排出機構３０が設けられている位置を通過した後、回動片４１ａを押圧して回動させると、第１センサ４１がコインＣの通過を検出（ＯＮ，ＯＦＦ）し計数する。そして、コインＣがさらに下方に移動すると、第２センサ４２がコインＣを検出（ＯＮ，ＯＦＦ）し、第３センサ４３がコインＣを検出（ＯＮ，ＯＦＦ）する。そして、出口２１ａから接続通路５０へコインＣが送り出される。
【００４２】
このように適正なコインＣが案内通路２１を通過すると、第１センサ４１が、ＯＮからＯＦＦに切り替わった後に、第２センサ４２がＯＮし、第２センサ４２がＯＦＦに切り替わった後に、第３センサ４３がＯＮすることになる。仮に、遊戯者が不正操作を行って、投入口１１４ａの外側と繋がった道具を、案内通路２１に挿入し、計数センサにコインとして擬似的に計数させた後に、投入口１１４ａに引き戻すことが考えられる。しかしながら、このような不正な道具を用いた場合には、第１センサ４１のみがＯＮ、ＯＦＦして、第２及び第３センサ４２，４３がＯＮしなかったり、第１センサ４１がＯＮからＯＦＦに切り替わらない状態のままで、第２、第３センサ４２、４３がＯＮになったりして、３つのセンサ４１〜４３が上述したような正しいタイミングで出力信号を出さない。従って、第１、第２、第３センサ４１〜４３の出力信号を総合的に判断することで、不正操作を簡単に判別することができる。
【００４３】
大きさが適正なコインの計数は、第１シャッター部材２６の上流側に配置した第１センサ４１のみで行うこともできるが、第１、第２、第３センサ４１〜４３の出力信号を総合的に判断して不正操作を排除しながら計数する方が、より正確に計数することができる。
【００４４】
そして、第１、第２、第３センサ４１〜４３の協働により、適正なコインＣの通過枚数が、所定数（一度の遊戯に投入できる規定枚数）を超えたことを検出すると、直ちに、制御部（図示せず、回路基板１０５に含まれる）が電磁ソレノイド２５を通電（励磁）状態とし、ガイド軸２８が下降する（図７（ｃ）及び図７（ｄ）参照）。これによって、第１シャッター部材２６と第２シャッター部材２７は姿勢が変更されて、第１遮断片２６ａと第２遮断片２７ａとが、案内通路２１内に突出する。
【００４５】
第２遮断片２７ａが案内通路２１内に突出すると、新たなコインＣが投入口１１４ａに投入できなくなるので、遊戯者に投入可能な枚数を超えたことを認識させることができる。コインＣが連続して投入されていると、第２遮断片２７ａが新たなコインの投入を阻止する前に、所定数を超えているにもかかわらず案内通路２１にコインＣが入ってしまう場合がある。しかしながら、第１遮断片２６ａが案内通路２１内に突出することによって、所定数を超えた分のコインＣは、矢印Ｂ方向に案内されて排出口３５から排出されるので、出口２１ａ側から送り出されて、遊戯に用いられることはない。
【００４６】
このように、本発明では、コインＣを投入口１１４ａから実質的に鉛直下方に案内するように案内通路２１を構成しているから、選別装置１の幅寸法をコンパクトに構成することができ、全体を小型化することができる。また、コインＣを案内通路２１の出口２１ａと異なる部位から排出させるために、コインＣの移動を遮断するシャッター部材を用いているため、鉛直下方に自重で落下する途中のコインＣであっても、その移動方向を容易に変更させて排出させることができるのである。
【００４７】
なお、上記実施形態では、第１シャッター部材２６の第１遮断片２６ａによって、コインＣをその半径方向に排出しているが、遮断片の案内通路２１内への突出によって、コインＣをその厚み方向に排出するように構成してもよい。
【００４８】
また、コインＣの移動を阻止するために、第１シャッター部材２６と第２シャッター部材２７の両方を備えているが、いずれか一方のみを備える構成としてもよい。第２シャッター部材２７を、第１シャッター部材２６と同じ機能を有する他の構成と組み合わせて配置してもよい。
【００４９】
また、コインＣの通過を検出するセンサとして、上記実施形態では３つのセンサを用いたが、この数に限定するものではない。
【００５０】
さらに、本実施形態では、遊戯機としてスロットマシンに適用した場合を例示したが、その他の遊戯機に適用してもよい。
【図面の簡単な説明】
【００５１】
【図１】本発明のコイン類の選別装置が適用されたスロットマシンの正面概観図である。
【図２】図１のスロットマシンの内部構成を示す概略図である。
【図３】（ａ）は選別装置の正面図、（ｂ）は選別装置の側面図である。
【図４】選別装置の分解図である。
【図５】（ａ）は図３のＶ−Ｖ線矢視側断面で各遮断片が案内通路内に突出していない状態の図、（ｂ）は図３のＶ−Ｖ線矢視側断面で各遮断片が案内通路内に突出した状態の図である。
【図６】（ａ）は不適正コイン排出機構の正面図、（ｂ）は（ａ）のＶＩｂ−ＶＩｂ線矢視断面図である。
【図７】（ａ）は第１及び第２シャッター部材が非突出姿勢にあるときの正面図、（ｂ）は第１及び第２シャッター部材が非突出姿勢にあるときの側面図、（ｃ）は第１及び第２シャッター部材が突出姿勢にあるときの正面図、（ｄ）は第１及び第２シャッター部材が突出姿勢にあるときの側面図である。
【符号の説明】
【００５２】
１          選別装置
２１        案内通路
２２        案内部材
２３        補助部材
２４        カバー部材
２５        電磁ソレノイド
２６        第１シャッター部材
２６ａ      第１遮断片
２７        第２シャッター部材
２７ａ      第２遮断片
３０        不適正コイン排出機構
３１        開口部
３２        押圧体
３５        排出口
４１        第１センサ
４２        第２センサ
４３        第３センサ
１００      スロットマシン
１１４ａ      投入口
Ｃ          コイン
【図１】
2008307176.tif 000003
【図２】
2008307176.tif 000004
【図３】
2008307176.tif 000005
【図４】
2008307176.tif 000006
【図５】
2008307176.tif 000007
【図６】
2008307176.tif 000008
【図７】
2008307176.tif 000009